(57)【要約】【課題】印刷装置に入力されたドキュメントの画像を印刷前に詳細に視認し、容易に編集して印刷する。【解決手段】  画像を高精細に表示可能な情報端末１０とネットワーク５２を介して接続されたプリンター３０は、情報端末１０と通信する通信部３２と、ドキュメントデータが入力されるドキュメントデータ入力部４２と、入力されたドキュメントデータが示す画像を表示し、ドキュメントデータの中から第１のドキュメントデータを選択するドキュメントデータ選択部と、第１のドキュメントデータを情報端末１０に送り、情報端末１０から応答される応答メッセージに応じて、第１のドキュメントデータの印刷の可否、および情報端末１０から送られる第２のドキュメントデータの印刷の可否を決定する印刷決定部３４と、印刷決定部３４が何れかのドキュメントデータの印刷を決定した場合、印刷を決定したドキュメントデータを印刷する印刷部３８と、を備える。【選択図】図１
2011141642.tif 000002
【特許請求の範囲】
【請求項１】
印刷装置と情報端末がネットワークを介して接続された印刷システムであって、
前記印刷装置は、
前記情報端末と通信する通信部と、
ドキュメントデータが入力されるドキュメントデータ入力部と、
入力されたドキュメントデータが示す画像を第１の解像度で表示し、前記ドキュメントデータの中から第１のドキュメントデータを選択するドキュメントデータ選択部と、
前記第１のドキュメントデータを前記情報端末に送り、前記情報端末から応答される応答メッセージに応じて、前記第１のドキュメントデータの印刷の可否、および前記情報端末から送られる第２のドキュメントデータの印刷の可否を決定する印刷決定部と、
前記印刷決定部が何れかのドキュメントデータの印刷を決定した場合、印刷を決定した前記ドキュメントデータを印刷する印刷処理部と、を備え、
前記情報端末は、
前記印刷装置と通信する通信部と、
前記印刷装置から送られる前記第１のドキュメントデータが示す画像を、前記第１の解像度よりも高い第２の解像度で表示する表示部と、
前記表示部が表示する前記第１のドキュメントデータを編集して第２のドキュメントデータを生成し、印刷に関する指示を示す前記応答メッセージを生成して前記印刷装置に送り、前記応答メッセージが前記第２のドキュメントデータの印刷を指示する場合、更に、前記第２のドキュメントデータを前記印刷装置に送るドキュメントデータ編集部と、を備えることを特徴とする印刷システム。
【請求項２】
請求項１に記載の印刷システムにおいて、
前記情報端末は、前記ドキュメントデータ編集部で前記第１のドキュメントデータを編集できない場合、前記ネットワークを介して前記第１のドキュメントデータを編集可能な他のデバイスを検索し、検索したデバイスに対して前記第１のドキュメントデータの編集を指示することを特徴とする印刷システム。
【請求項３】
画像を高精細に表示可能な情報端末とネットワークを介して接続された印刷装置であって、
前記情報端末と通信する通信部と、
ドキュメントデータが入力されるドキュメントデータ入力部と、
入力されたドキュメントデータが示す画像を表示し、前記ドキュメントデータの中から第１のドキュメントデータを選択するドキュメントデータ選択部と、
前記第１のドキュメントデータを前記情報端末に送り、前記情報端末から応答される応答メッセージに応じて、前記第１のドキュメントデータの印刷の可否、および前記情報端末から送られる第２のドキュメントデータの印刷の可否を決定する印刷決定部と、
前記印刷決定部が何れかのドキュメントデータの印刷を決定した場合、印刷を決定した前記ドキュメントデータを印刷する印刷処理部と、を備えることを特徴とする印刷装置。
【請求項４】
ネットワークを介して接続された情報端末と印刷装置による印刷方法であって、
ドキュメントデータが前記印刷装置に入力される工程と、
入力されたドキュメントデータが示す画像を第１の解像度で表示し、前記ドキュメントデータの中から第１のドキュメントデータを選択し、選択した前記第１のドキュメントデータを前記情報端末に送る工程と、
前記印刷装置から送られる前記第１のドキュメントデータを前記情報端末が受け、前記第１のドキュメントデータが示す画像を前記第１の解像度よりも高い第２の解像度で表示する工程と、
表示された前記第１のドキュメントデータを編集して第２のドキュメントデータを生成し、印刷に関する指示を示す応答メッセージを生成して前記印刷装置に送り、前記応答メッセージが前記第２のドキュメントデータの印刷を指示する場合、更に、前記第２のドキュメントデータを前記印刷装置に送る工程と、
前記情報端末から応答される前記応答メッセージを前記印刷装置が受け、前記応答メッセージに応じて、前記第１のドキュメントデータの印刷の可否、および前記情報端末から送られる前記第２のドキュメントデータの印刷の可否を決定する工程と、
何れかのドキュメントデータの印刷を決定した場合、印刷を決定した前記ドキュメントデータを印刷する工程と、を有することを特徴とする印刷方法。
【発明の詳細な説明】
【技術分野】
【０００１】
本発明は、印刷システム、印刷装置および印刷方法に関する。
【背景技術】
【０００２】
プリンター等の印刷装置には、ユーザーからの操作指示の入力を受け付ける操作パネルが設けられており、ユーザーが操作パネルを操作することで、印刷するドキュメントの画像を選択したり、印刷に関する設定を行ったりできるようになっている。このような操作パネルの表示部は、スペースやコストの都合で大きくすることができないため、下記特許文献１に示す遠隔操作システムのように、携帯電話のような通信装置に印刷装置の操作部を表示させ、ユーザーが操作部を操作することで、印刷装置の遠隔操作を実現している。
【先行技術文献】
【特許文献】
【０００３】
【特許文献１】特開２００６−８１０２８号公報
【発明の概要】
【発明が解決しようとする課題】
【０００４】
しかしながら、通信装置は、印刷装置から送られるドキュメントの画像を表示できるが、表示したドキュメントの画像に対して編集を行うことができない。従って、ドキュメントの画像に対して編集が必要な場合は、所定のアプリケーションソフトがインストールされたコンピューター上で印刷するドキュメントを編集し、編集したドキュメントのデータを印刷装置に入力し、印刷するドキュメントの画像を印刷装置から通信装置に送り直す必要があり、多くの手間と時間を要した。本発明は、印刷装置に入力されたドキュメントの画像を印刷前に詳細に視認し、容易に編集して印刷することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる印刷システムは、印刷装置と情報端末がネットワークを介して接続された印刷システムであって、前記印刷装置は、前記情報端末と通信する通信部と、ドキュメントデータが入力されるドキュメントデータ入力部と、入力されたドキュメントデータが示す画像を第１の解像度で表示し、前記ドキュメントデータの中から第１のドキュメントデータを選択するドキュメントデータ選択部と、前記第１のドキュメントデータを前記情報端末に送り、前記情報端末から応答される応答メッセージに応じて、前記第１のドキュメントデータの印刷の可否、および前記情報端末から送られる第２のドキュメントデータの印刷の可否を決定する印刷決定部と、前記印刷決定部が何れかのドキュメントデータの印刷を決定した場合、印刷を決定した前記ドキュメントデータを印刷する印刷処理部と、を備え、前記情報端末は、前記印刷装置と通信する通信部と、前記印刷装置から送られる前記第１のドキュメントデータが示す画像を、前記第１の解像度よりも高い第２の解像度で表示する表示部と、前記表示部が表示する前記第１のドキュメントデータを編集して第２のドキュメントデータを生成し、印刷に関する指示を示す前記応答メッセージを生成して前記印刷装置に送り、前記応答メッセージが前記第２のドキュメントデータの印刷を指示する場合、更に、前記第２のドキュメントデータを前記印刷装置に送るドキュメントデータ編集部と、を備えることを特徴とする。
【０００７】
このような構成によれば、印刷装置に入力されたドキュメントデータの中から選択された第１のドキュメントデータは、印刷装置の第１の解像度よりも高い第２の解像度を有する情報端末に送られて表示され、情報端末で編集されて第２のドキュメントデータが生成される。更に、情報端末において印刷を指示する応答メッセージが生成され、この応答メッセージが第２のドキュメントデータの印刷を指示する場合、第２のドキュメントデータは印刷装置に送られて印刷される。従って、ユーザーは、ドキュメントデータを情報端末で詳細に視認し、ドキュメントデータの編集が必要な場合は、情報端末上でドキュメントデータを編集し、編集したドキュメントデータを印刷装置に送り印刷できるため、ドキュメントデータの編集および印刷を容易にできる。
【０００８】
［適用例２］
上記適用例にかかる印刷システムにおいて、前記情報端末は、前記ドキュメントデータ編集部で前記第１のドキュメントデータを編集できない場合、前記ネットワークを介して前記第１のドキュメントデータを編集可能な他のデバイスを検索し、検索したデバイスに対して前記第１のドキュメントデータの編集を指示することが好ましい。
【０００９】
このような構成によれば、情報端末が第１のドキュメントデータを編集できない場合でも、第１のドキュメントデータを編集可能な他のデバイスに編集を指示することで、編集できる。
【００１０】
［適用例３］
本適用例にかかる印刷装置は、画像を高精細に表示可能な情報端末とネットワークを介して接続された印刷装置であって、前記情報端末と通信する通信部と、ドキュメントデータが入力されるドキュメントデータ入力部と、入力されたドキュメントデータが示す画像を表示し、前記ドキュメントデータの中から第１のドキュメントデータを選択するドキュメントデータ選択部と、前記第１のドキュメントデータを前記情報端末に送り、前記情報端末から応答される応答メッセージに応じて、前記第１のドキュメントデータの印刷の可否、および前記情報端末から送られる第２のドキュメントデータの印刷の可否を決定する印刷決定部と、前記印刷決定部が何れかのドキュメントデータの印刷を決定した場合、印刷を決定した前記ドキュメントデータを印刷する印刷処理部と、を備えることを特徴とする。
【００１１】
このような構成によれば、印刷装置に入力されたドキュメントデータの中から選択された第１のドキュメントデータは、画像を高精細に表示可能な情報端末に送られて表示され、情報端末で編集されて第２のドキュメントデータが生成される。更に、情報端末において印刷を指示する応答メッセージが生成され、この応答メッセージが第２のドキュメントデータの印刷を指示する場合、第２のドキュメントデータは印刷装置に送られて印刷される。従って、ユーザーは、ドキュメントデータを情報端末で詳細に視認し、ドキュメントデータの編集が必要な場合は、情報端末上でドキュメントデータを編集し、編集したドキュメントデータを印刷装置に送り印刷できるため、ドキュメントデータの編集および印刷を容易にできる。
【００１２】
［適用例４］
本適用例にかかる印刷方法は、ネットワークを介して接続された情報端末と印刷装置による印刷方法であって、ドキュメントデータが前記印刷装置に入力される工程と、入力されたドキュメントデータが示す画像を第１の解像度で表示し、前記ドキュメントデータの中から第１のドキュメントデータを選択し、選択した前記第１のドキュメントデータを前記情報端末に送る工程と、前記印刷装置から送られる前記第１のドキュメントデータを前記情報端末が受け、前記第１のドキュメントデータが示す画像を前記第１の解像度よりも高い第２の解像度で表示する工程と、表示された前記第１のドキュメントデータを編集して第２のドキュメントデータを生成し、印刷に関する指示を示す応答メッセージを生成して前記印刷装置に送り、前記応答メッセージが前記第２のドキュメントデータの印刷を指示する場合、更に、前記第２のドキュメントデータを前記印刷装置に送る工程と、前記情報端末から応答される前記応答メッセージを前記印刷装置が受け、前記応答メッセージに応じて、前記第１のドキュメントデータの印刷の可否、および前記情報端末から送られる前記第２のドキュメントデータの印刷の可否を決定する工程と、何れかのドキュメントデータの印刷を決定した場合、印刷を決定した前記ドキュメントデータを印刷する工程と、を有することを特徴とする。
【００１３】
このような方法によれば、印刷装置に入力されたドキュメントデータの中から選択された第１のドキュメントデータは、印刷装置の第１の解像度よりも高い第２の解像度を有する情報端末に送られて表示され、情報端末で編集されて第２のドキュメントデータが生成される。更に、情報端末において印刷を指示する応答メッセージが生成され、この応答メッセージが第２のドキュメントデータの印刷を指示する場合、第２のドキュメントデータは印刷装置に送られて印刷される。従って、ユーザーは、ドキュメントデータを情報端末で詳細に視認し、ドキュメントデータの編集が必要な場合は、情報端末上でドキュメントデータを編集し、編集したドキュメントデータを印刷装置に送り印刷できるため、ドキュメントデータの編集および印刷を容易にできる。
【図面の簡単な説明】
【００１４】
【図１】本発明の実施形態に係る印刷システムの構成図。
【図２】本発明の実施形態に係る印刷システムのハードウェア構成を示す図。
【図３】本発明の実施形態に係る印刷システムの印刷処理の流れを示すフローチャート。
【発明を実施するための形態】
【００１５】
以下、印刷システムについて図面を参照して説明する。
【００１６】
（実施形態）
図１は、情報端末１０と、プリンター３０とがネットワーク５２を介して接続された印刷システム５の構成図である。本実施形態では、情報端末１０は、スマートフォンやモバイルコンピューター等を想定する。また、プリンター３０はインクジェット方式を想定するが何れの方式でも良い。情報端末１０とプリンター３０は、それぞれが通信部１２，３２を備える。これらの通信部１２，３２は、例えば、ＯＳＩ（Ｏｐｅｎ  Ｓｙｓｔｅｍ  Ｉｎｔｅｒｃｏｎｎｅｃｔｉｏｎ）参照モデルのような階層化されたプロトコルに基づき情報を送受信する。また、ネットワーク５２は、インターネットやイントラネットを想定し、サーバー５０がアクセス可能に接続されている。
【００１７】
最初に、情報端末１０の各機能について説明する。情報端末１０は、通信部１２、印刷イメージ生成部１４、表示部１６、ドキュメントデータ編集部１８および操作部２０を備える。
通信部１２は、プリンター３０から送信されるドキュメントデータ（第１のドキュメントデータ）を受信し、受信したドキュメントデータを印刷イメージ生成部１４と、ドキュメントデータ編集部１８に送る。また、ドキュメントデータ編集部１８から送られる応答メッセージや、ドキュメントデータ編集部１８で編集されたドキュメントデータ（第２のドキュメントデータ）をプリンター３０に送る。
【００１８】
印刷イメージ生成部１４は、入力されたドキュメントデータが印刷される印刷イメージを生成し、生成した印刷イメージのデータを表示部１６に送る。本実施形態では、印刷イメージ生成部１４は、プリンター３０に対応するプリンタードライバーのプレビュー機能を備え、ドキュメントデータから印刷データを生成し、生成した印刷データに基づいて印刷イメージを生成する。表示部１６は、印刷イメージ生成部１４から送られる印刷イメージのデータを表示する。
ドキュメントデータ編集部１８は、通信部１２から送られるドキュメントデータに対して編集を行う機能を備える。ユーザーは、表示部１６に表示された印刷イメージを見ながら、操作部２０を操作してドキュメントデータを編集する。本実施形態では、ユーザーが行う編集は、印刷する部分の選択や、ドキュメントデータが含む文書部分の変更・修正を想定する。このドキュメントデータ編集部１８が編集したドキュメントデータは、印刷イメージ生成部１４に送られて印刷イメージが生成され、表示部１６に表示される。従って、ユーザーは、ドキュメントデータの編集結果を即座に視認できる。尚、ドキュメントデータ編集部１８は、プリンター３０が有しない機能を備えても良く、逐次バージョンアップされても良い。
また、ドキュメントデータ編集部１８において、ドキュメントデータの編集が終了した場合、編集したドキュメントデータを印刷するか、編集前のドキュメントデータを印刷するか、または、何れのドキュメントデータも印刷しないか、をユーザーに選択させるべく、図示を略したユーザーインターフェイスが表示部１６に表示され、ユーザーは上記の何れかを選択する。本実施形態では、ユーザーが選択した内容を示す応答メッセージを生成し、通信部１２からプリンター３０に送信する。また、ユーザーが、編集したドキュメントデータの印刷を選択した場合、ドキュメントデータ編集部１８は編集したドキュメントデータを通信部１２からプリンター３０に送信する。
【００１９】
尚、ドキュメントデータのデータ形式が情報端末１０で読み取れない場合、例えば、ドキュメントデータのデータ形式が所定のワープロソフトウェアで生成され、情報端末１０には所定のワープロソフトウェアがインストールされていない場合、情報端末１０は、ネットワーク５２に接続されたデバイスの中から所定のワープロソフトウェア機能を有するサーバー５０を検索する。そして、サーバー５０にドキュメントデータを送信し、サーバー５０側で情報端末１０が解読可能なデータ形式に変換する方法も想定できる。
この場合、ドキュメントデータ編集部１８で編集されたドキュメントデータは、再度、サーバー５０に送信されて所定のワープロソフトウェア形式に変換された後、プリンター３０に送信される。また、クラウドコンピューティングを採用し、サーバー５０等のクラウドプロバイダーからクラウドサービスの提供を受け、所望のデータ形式に変換しても良い。
次に、プリンター３０の各機能について説明する。プリンター３０は、通信部３２、印刷決定部３４、印刷データ生成部３６、印刷部３８、印刷イメージ生成部４０、ドキュメントデータ入力部４２、表示部４４および操作部４６を備える。
【００２０】
ドキュメントデータ入力部４２は、ドキュメントデータを入力する。本実施形態では、フラッシュメモリーを内蔵するメモリーカード等を介して入力する。また、操作部４６、表示部４４および印刷イメージ生成部４０は、ドキュメントデータ選択部を構成する。本実施形態では、ユーザーは、操作部４６を操作し、表示部４４に表示されるユーザーインターフェイス画面（図示は略す。）に基づいて、メモリーカードに記憶されたドキュメントデータの画像のサムネイル画像を表示し、サムネイル画像の中から印刷対象とするドキュメントデータを選択する。選択されたドキュメントデータは、印刷イメージ生成部４０に送られて印刷イメージが生成され、表示部４４に表示されると共に、必要に応じて、通信部３２から情報端末１０に送信されたり、印刷データ生成部３６から参照されたりする。
【００２１】
印刷イメージ生成部４０は、情報端末１０の印刷イメージ生成部１４と同様の機能を備え、入力されたドキュメントデータが印刷される印刷イメージを生成し、生成した印刷イメージのデータを表示部４４に送る。
印刷決定部３４は、情報端末１０から送られる応答メッセージに基づいて、印刷の可否や、印刷するドキュメントデータを決定し、印刷データ生成部３６を指示する。本実施形態では、応答メッセージが、編集前のドキュメントデータの印刷を示す場合、ドキュメントデータ入力部４２に入力されたドキュメントデータから印刷データの生成を指示する。また、応答メッセージが、編集したドキュメントデータの印刷を示す場合、情報端末１０から送られるドキュメントデータから印刷データの生成を指示する。また、応答メッセージが、何れのドキュメントデータも印刷しないことを示す場合、印刷データの生成は指示しない。
印刷データ生成部３６と印刷部３８は、印刷処理部を構成する。印刷データ生成部３６は、印刷決定部３４の決定に応じて、ドキュメントデータから印刷データを生成する。本実施形態では、プリンタードライバーを想定し、印刷部３８に応じた印刷ジョブデータを生成し、生成した印刷ジョブデータを印刷部３８に送る。印刷部３８は、印刷データ生成部３６から送られる印刷ジョブに従い印刷する。
【００２２】
図２は、情報端末１０とプリンター３０のハードウェア構成を示す。情報端末１０は、ＣＰＵ（Ｃｅｎｔｒａｌ  Ｐｒｏｃｅｓｓｉｎｇ  Ｕｎｉｔ）７０、ＲＯＭ（Ｒｅａｄ  Ｏｎｌｙ  Ｍｅｍｏｒｙ）７２、ＲＡＭ（Ｒａｎｄｏｍ  Ａｃｃｅｓｓ  Ｍｅｍｏｒｙ）７４、記憶装置６２、入力キー等の指示装置６４、表示装置６６およびネットワークＩ／Ｆ（ＩｎｔｅｒＦａｃｅ）６８を備え、それぞれはバス７６を介して接続されている。また、プリンター３０は、ＣＰＵ８６、ＲＯＭ８８、ＲＡＭ９０、印刷エンジン９２、ネットワークＩ／Ｆ８０、メモリーカードＩ／Ｆ８２、指示装置８４および表示装置８５を備え、それぞれはバス９４を介して接続されている。尚、本実施形態では、情報端末１０の表示装置６６とプリンター３０の表示装置８５は何れも液晶パネルであるが、プリンター３０の表示装置８５は、低スペックであり、低解像度（第１の解像度）で表示可能領域が狭いため、印刷イメージを詳細に視認することは困難である。一方、情報端末１０の表示装置６６は、プリンター３０の表示装置８５と比較して高スペックであり、高解像度（第２の解像度）で表示可能領域が広いため、ユーザーは印刷イメージをより詳細に視認できる。
図１で示した各機能部は、図２で示すハードウェアとソフトウェアが協働して機能を実現する。
【００２３】
図３は、情報端末１０とプリンター３０の印刷処理の流れを示すフローチャートである。最初に、情報端末１０は、接続可能なプリンター３０を検索し（ステップＳ１３０）、検索したプリンター３０と接続する（ステップＳ１３２）。
プリンター３０は、情報端末１０と接続し（ステップＳ１００）、印刷可能なドキュメントデータを検索する（ステップＳ１０２）。プリンター３０は、検索した結果、印刷可能なドキュメントデータを表示する（ステップＳ１０４）。続いて、印刷対象のドキュメントデータがユーザーにより選択される（ステップＳ１０６）。続いて、プリンター３０は、選択されたドキュメントデータを情報端末１０に送信する（ステップＳ１０８）。
情報端末１０は、プリンター３０から送信されたドキュメントデータを受信する（ステップＳ１３４）。続いて、情報端末１０は、受信したドキュメントデータの印刷イメージを表示する（ステップＳ１３６）。次に、ユーザーによりドキュメントデータが編集される（ステップＳ１３８）。続いて、情報端末１０は、ユーザーが選択した指示に応じて応答メッセージを生成し（ステップＳ１４０）、生成した応答メッセージをプリンター３０に送信する（ステップＳ１４２）。
【００２４】
次に、情報端末１０は、応答メッセージが、編集したドキュメントデータの印刷指示であるか、否かを判定する（ステップＳ１４４）。ここで、応答メッセージが、編集したドキュメントデータの印刷指示である場合（ステップＳ１４４でＹｅｓ）、編集したドキュメントデータをプリンター３０に送信し（ステップＳ１４６）、プリンター３０との接続を切り（ステップＳ１４８）、一連の処理を終了する。他方で、応答メッセージが、編集したドキュメントデータの印刷指示でない場合（ステップＳ１４４でＮｏ）、プリンター３０との接続を切り（ステップＳ１４８）、一連の処理を終了する。
【００２５】
続いて、プリンター３０は、情報端末１０が送信した応答メッセージを受信し（ステップＳ１１０）、応答メッセージが、編集されたドキュメントデータの印刷指示であるか、否かを判定する（ステップＳ１１２）。ここで、応答メッセージが、編集されたドキュメントデータの印刷指示である場合（ステップＳ１１２でＹｅｓ）、情報端末１０から送信される編集されたドキュメントデータを受信し（ステップＳ１１４）、受信したドキュメントデータを印刷し（ステップＳ１１６）、一連の処理を終了する。
他方で、応答メッセージが、編集されたドキュメントデータの印刷指示でない場合（ステップＳ１１２でＮｏ）、プリンター３０は、応答メッセージが、編集前のドキュメントデータの印刷指示であるか、否かを判定する（ステップＳ１１８）。ここで、応答メッセージが、編集前のドキュメントデータの印刷指示である場合（ステップＳ１１８でＹｅｓ）、編集前のドキュメントデータを印刷し（ステップＳ１２０）、一連の処理を終了する。他方で、応答メッセージが、編集前のドキュメントデータの印刷指示でない場合（ステップＳ１１８でＮｏ）、印刷がキャンセルされたものと見なし、一連の処理を終了する。
【００２６】
以上の処理により、プリンター３０の表示装置８５が低スペックであっても、印刷イメージを高スペックな情報端末１０の表示装置６６に表示できるため、サムネイル画像のような小さい画像の場合でも、ユーザーは情報端末１０で詳細に視認できる。更に、情報端末１０上でドキュメントデータを編集できるため、印刷直前に視認しながら印刷内容を変更できる。
【００２７】
また、以上のような手法を実施する装置は、単独の装置によって実現される場合もあれば、複数の装置を組み合わせることによって実現される場合もあり、各種の態様を含むものである。
【符号の説明】
【００２８】
５…印刷システム、１０…情報端末、１２…通信部、１４…印刷イメージ生成部、１６…表示部、１８…ドキュメントデータ編集部、２０…操作部、３０…プリンター、３２…通信部、３４…印刷決定部、３６…印刷データ生成部、３８…印刷部、４０…印刷イメージ生成部、４２…ドキュメントデータ入力部、４４…表示部、４６…操作部、５０…サーバー、５２…ネットワーク、６２…記憶装置、６４…指示装置、６６…表示装置、６８…ネットワークＩ／Ｆ、７６…バス、８０…ネットワークＩ／Ｆ、８２…メモリーカードＩ／Ｆ、８４…指示装置、８５…表示装置、８６…ＣＰＵ、８８…ＲＯＭ、９０…ＲＡＭ、９２…印刷エンジン、９４…バス。
【図１】
2011141642.tif 000003
【図２】
2011141642.tif 000004
【図３】
2011141642.tif 000005